(57)【要約】【課題】釣りをする時に使用する浮き、重り及び水中浮きなどの浮上力を測定できる浮上力測定器を提供すること。【解決手段】釣りに使用する浮き、重り及び水中浮きのうち、１つ以上の浮上力を測定する浮上力測定器であって、測定した浮上力を表すための目盛部１１０と、浮上力測定器１００が入水すれば浮上力測定器１００が正しく起立するようにする胴体部１２０と、浮き、重り及び水中浮きのうち、１つ以上と結合し、浮上力測定器の０点を合わせるための均衡錘が結合される脚部１３０と、を含むことを特徴とする、浮上力を測定する浮上力測定器１００が提供される。【選択図】図１
2008148686.tif 000002
【特許請求の範囲】
【請求項１】
釣りに使用する浮き、重り及び水中浮きのうち、１つ以上の浮上力を測定する浮上力測定器であって、
測定した前記浮上力を表すための目盛部と、
前記浮上力測定器が入水すれば前記浮上力測定器が正しく起立するようにする胴体部と、
前記浮き、重り及び水中浮きのうち、１つ以上と結合し、前記浮上力測定器の０点を合わせるための均衡錘が結合される脚部と、
を含むことを特徴とする、浮上力を測定する浮上力測定器。
【請求項２】
前記目盛部は、
同一な体積間隔で目盛が表記されており、負数の浮上力を測定するための目盛と正数の浮上力を測定するための目盛を具備し、前記胴体部との結合のために一側がボルト状に形成されていることを特徴とする、請求項１に記載の浮上力を測定する浮上力測定器。
【請求項３】
前記胴体部は、
前記目盛部及び前記脚部との結合のために両端にナット状の溝を具備し、かつ、前記ナット状の溝は一直線上に位置するように形成することを特徴とする、請求項１または２に記載の浮上力を測定する浮上力測定器。
【請求項４】
前記脚部は、
前記浮き、重り及び水中浮きのうち、１つ以上に備えられた通孔の直径より小さな直径で形成され、前記胴体部及び前記均衡錘との結合のために両端がボルト状で形成されることを特徴とする、請求項１〜３のいずれかに記載の浮上力を測定する浮上力測定器。
【請求項５】
前記均衡錘は、
前記浮上力測定器が入水する場合に負数の浮上力を測定するための目盛の０点を水面と合せるための上部均衡錘と、
正数の浮上力を測定するための目盛の０点を水面と合せるための下部均衡錘と、
を含み、前記脚部との結合のために一側にナット状の溝を具備していることを特徴とする請求項１〜４のいずれかに記載の浮上力を測定する浮上力測定器。
【請求項６】
前記浮上力測定器は、
前記目盛部の中央に前記浮上力の測定のための０点がある場合には１つの均衡錘を使用することを特徴とする請求項１〜５のいずれかに記載の浮上力を測定する浮上力測定器。
【発明の詳細な説明】
【技術分野】
【０００１】
本発明は浮上力測定器に関し、より詳しくは、釣りに使用する支度に使われる浮き、または水中浮きの浮上力を測定する浮上力測定器に関する。
【背景技術】
【０００２】
釣りでよく言われる浮力は浮かぶ物体のみにあることと言われているが、釣りで使用する浮力を定義すれば、‘浮かぶ物体に対してその物体をすっかり流体内に浸るようにすることに必要な最小限の力’であるので、元の浮力の正義とは全く異なる概念であり、沈力といえば、‘沈む物体に対してはその値を負とし、重さから物体に作用する浮力を引いた値’とし、その値は負数で表示する。釣りに一般的に使用する浮力と沈力ということは、表記によれば、流体力学でいう浮上力と同一な概念を有する。
【０００３】
一般に、釣りに使われる浮き、または水中浮きには、浮上力の１つの単位である号数が表記されている。始めには重りの大きさが基準となって上記の号数を表記するようにすることで、１匁（約３．７５ｇ）の鉛で作られた重りを１号と規定し、順次に重りの号数を負数で表記し、これに対応する浮上力を有する浮きを１号と規定している。
【発明の開示】
【発明が解決しようとする課題】
【０００４】
釣りでは、鉛３．７５ｇのような沈む力を有する水中浮きや重りを−１号と表記するが、一般的に釣る状況から見れば、水中浮きや重りが鉛でない他の材料を使用して作られた場合には純粋な鉛からなっていないので、重さを利用したその沈む力が分かり難く、号数を表現できない問題点があった。
【０００５】
また、水中浮きや重りなどの沈む力を計算するためには、その体積と重さを正確に測定しなければならないし、計算式を知らなければならない不便さがあり、浮きの場合には号数を表記するために海水と同一な比重の流体内で正確に表示された標準重りを結合して号数を測定しなければならない不便さがあった。
【０００６】
そこで、本発明は、上記問題に鑑みてなされたものであり、本発明の目的とするところは、釣りをする時に使用する浮き、重り及び水中浮きなどの浮上力を測定できる、新規かつ改良された浮上力測定器を提供することにある。
【課題を解決するための手段】
【０００７】
上記課題を解決するために、本発明のある観点によれば、釣りに使用する浮き、重り及び水中浮きのうち、１つ以上の浮上力を測定する浮上力測定器であって、測定した浮上力を表すための目盛部と、浮上力測定器が入水すれば浮上力測定器が正しく起立するようにする胴体部と、浮き、重り及び水中浮きのうち、１つ以上と結合し、浮上力測定器の０点を合わせるための均衡錘が結合される脚部と、を含むことを特徴とする、浮上力を測定する浮上力測定器が提供される。
【０００８】
かかる構成によれば、目盛部に付された目盛によって測定した浮上力を表し、胴体部は浮上力測定器が入水すれば浮上力測定器が正しく起立するようにし、脚部は均衡錘が結合され、均衡錘は浮き、重り及び水中浮きのうち、１つ以上と結合し、浮上力測定器の０点を合わせる。その結果、複雑な計算式を知らなくても、目盛部の目盛りを読み取ることで、釣りをする時に使用する浮き、重り及び水中浮きなどの浮上力を測定することができる。
【０００９】
目盛部は、同一な体積間隔で目盛が表記されており、負数の浮上力を測定するための目盛と正数の浮上力を測定するための目盛を具備し、胴体部との結合のために一側がボルト状に形成されていてもよい。
【００１０】
胴体部は、目盛部及び脚部との結合のために両端にナット状の溝を具備し、かつ、ナット状の溝は一直線上に位置するように形成されていてもよい。
【００１１】
脚部は、浮き、重り及び水中浮きのうち、１つ以上に備えられた通孔の直径より小さな直径で形成され、胴体部及び均衡錘との結合のために両端がボルト状で形成されていてもよい。
【００１２】
均衡錘は、浮上力測定器が入水する場合に負数の浮上力を測定するための目盛の０点を水面と合せるための上部均衡錘と、正数の浮上力を測定するための目盛の０点を水面と合せるための下部均衡錘と、を含み、脚部との結合のために一側にナット状の溝を具備していてもよい。
【００１３】
浮上力測定器は、目盛部の中央に浮上力の測定のための０点がある場合には１つの均衡錘を使用してもよい。
【発明の効果】
【００１４】
以上説明したように本発明によれば、本発明によれば、浮上力測定器を利用して簡単で、かつ便利に浮き、重り、水中浮きなどの浮上力を簡単で、正確で、かつ便利に測定することができる効果がある。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
また、釣りで一般的に使用する浮力は浮かぶ物体に対してその物体をすっかり流体内に浸らせることに必要な力と定義することができ、流体力学でいう浮上力とその意味が同一であるので、釣りで一般的に使用する浮力を浮上力と表現し、以下に使われる浮力は流体が流体内の物体を重力の反対方向に押し出そうとする力の意味として使用することにする。
【００１７】
図１は、本発明の一実施形態に係る浮上力測定器１００の斜視図である。
【００１８】
本発明の一実施形態に係る浮上力測定器１００は、目盛部１１０、胴体部１２０、及び脚部１３０を含んで構成される。
【００１９】
図２は、本発明の一実施形態に係る浮上力測定器目盛部１１０の側面図である。
【００２０】
本発明の一実施形態に係る目盛部１１０は、測定した浮上力に対応する号数を表記するために同一な体積間隔で目盛を表記するようにするが、その形態に拘わらない。目盛部１１０は、同一な体積で表面積の最も小さい円柱形で形成することが好ましく、必要な耐久性を持つ軽い素材で構成することが好ましい。
【００２１】
また、目盛部１１０は、浮上力の値が負数形態である重り及び水中浮きの浮上力を測定するための目盛と浮上力の値が正数形態である浮きの浮上力を測定するための目盛を具備している。
【００２２】
目盛部１１０の下段部２１０は、胴体部１２０との結合のためにボルト状で形成するようにする。
【００２３】
本実施形態において、目盛部１１０に表記する目盛の位置は次のような計算式により決定される。目盛の位置を決定するためには、まず−１号の重りに作用する海水の浮力を計算しなければならないが、浮力の計算式は次の通りである。
【００２４】
浮力＝流体に沈んでいる体積×流体の密度×重力加速度
【００２５】
鉛の密度は１１．３４３７ｇ／ｃｍ３であり、−１号の重りが３．７５ｇの質量を有するので、−１号の重りの体積は鉛の質量を鉛の密度で割った時の値である０．３３０ｃｍ３となり、上記の浮力計算式に−１号の重りの体積である０．３３０ｃｍ３と海水の平均密度である１．０３ｇ／ｃｍ３を代入すれば、−１号の重りに作用する浮力は０．３４ｇ重である。−１号の重りの重さである３．７５ｇ重から−１号の重りに作用する浮力である０．３４ｇ重を引けば−１号の重りの沈む力は約３．４２ｇ重である。
【００２６】
したがって、目盛は海水で３．４２ｇ重の浮力を受ける体積である３．３２０ｃｍ３間隔で１号の表記となり、その間隔は目盛部１１０の太さが一定の場合には１０等分して０．１号と表示される。同一な方式により以下の単位の表記も可能である。
【００２７】
例えば、目盛部１１０の形状が、直径が８ｍｍである太さが一定の円柱形であれば、３．３２０ｃｍ３の体積を円柱の上面の広さである３．１４×０．４×０．４=０．５０２４ｃｍ３で割った値である約６．６ｃｍ間隔で１号となるものである。
【００２８】
図３は、本発明の一実施形態に係る浮上力測定器の胴体部の断面図である。
【００２９】
本発明の一実施形態に係る胴体部１２０は、浮上力測定器１００が入水する場合に、浮上力測定器１００を正しく起立するようにする役割を有する。胴体部１２０は、目盛部１１０を結合するための第１結合溝３１０と脚部１３０を結合するための第２結合溝３２０を含み、第１結合溝３１０及び第２結合溝３２０はナット状に形成されて、ボルト状に形成された目盛部１１０の下段部２１０と脚部１３０の上段部４１０が結合できるようにする。
【００３０】
また、第１結合溝３１０と第２結合溝３２０とは、一直線上に位置するように形成して、目盛部１１０と脚部１３０が胴体部１２０を中心として一直線上に結合されるようにする。
【００３１】
本実施形態において、浮上力測定器１００を正しく起立するようにするということは、図６に示したように浮上力測定器１００に均衡錘５１０、５２０を結合して入水させれば、浮上力測定器１００の目盛部１１０及び脚部１３０が水面と直角になるようにすることをいう。
【００３２】
胴体部１２０は、必要な耐久性を有する限り、軽い素材で形成することが好ましい。胴体部１２０は、球形や楕円球形などで形成することが好ましいが、浮上力測定器１００が正しく起立するようにすることが可能であれば、その形態に拘わらない。
【００３３】
例えば、本実施形態に示した図面では、胴体部１２０が楕円球形で形成することと図３に示しているが、浮上力測定器１００が正しく起立するようにすることができる直方体で胴体部１２０を形成することも可能である。
【００３４】
図４は、本発明の一実施形態に係る浮上力測定器の脚部１３０の断面図である。
【００３５】
本発明の一実施形態に係る脚部１３０は浮上力測定器の対象になる浮き、重り及び水中浮きなどを結合する部分であって、脚部１３０は浮き、重り及び水中浮きなどに備えられた通孔を通過できるほどの直径を有し、ボルト形態で形成された上段部４１０が胴体部１２０と結合し、ボルト状に形成された均衡錘結合部４２０が均衡錘と結合する。
【００３６】
図５は、本発明の一実施形態に係る均衡錘の断面図である。
【００３７】
本発明の一実施形態に係る下部均衡錘５１０及び上部均衡錘５２０は、浮上力測定器１００が入水する場合に、目盛部１１０の０点を合せるために使われる。下部均衡錘５１０及び上部均衡錘５２０は、鉛のような比重の大きい材料を使用することが好ましく、一側に脚部１３０と結合するための脚部結合溝５１２、５２２がナット状に形成されている。なお、下部均衡錘５１０及び上部均衡錘５２０は、その形態の制限はなく、図６に示した形態以外にも形成してもよい。
【００３８】
下部均衡錘５１０を脚部１３０の均衡錘結合部４２０に結合すれば、目盛部１１０の上部０点が水面と一致するようにし、上部均衡錘５２０を浮上力測定器１００の脚部１３０に結合すれば、目盛部１１０の下部０点が水面と一致するようにする。
【００３９】
本実施形態では、脚部１３０の均衡錘結合部４２０と下部均衡錘５１０、または上部均衡錘５２０を結合するために均衡錘結合部４２０がボルト状に形成されており、下部均衡錘５１０及び上部均衡錘５２０は一側に均衡錘結合部４２０と結合するためにナット状に形成されている脚部結合溝５１２、５２２を具備していると説明したが、脚部１３０と下部均衡錘５１０、または上部均衡錘５２０を繰り返して結合できる多様な構造を含む。
【００４０】
例えば、浮上力測定器１００の脚部１３０の下段を鉤形態で形成し、下部均衡錘５１０及び上部均衡錘５２０に通孔がある環を形成するようにして結合することもできる。
【００４１】
また、本実施形態では下部均衡錘５１０と上部均衡錘５２０とを区分するために、その大きさを異なるようにしたが、下部均衡錘５１０と上部均衡錘５２０を構成する材料の密度によって下部均衡錘５１０と上部均衡錘５２０の大きさを同一にしてもよい。
【００４２】
図６は、本発明の一実施形態に係る均衡錘を装着した浮上力測定器１００が入水されている断面図である。
【００４３】
本発明の一実施形態により下部均衡錘５１０を結合した浮上力測定器１００を入水させれば、図６の（６ａ）に示したように下部０点が水面に一致し、浮上力測定器１００の目盛部１１０と脚部１３０は水面とほぼ直角をなす。
【００４４】
本発明の一実施形態に係る浮上力測定器１００を利用して水中浮き及び重り６１０の浮上力を測定するためには、浮上力測定器１００の脚部１３０に上部均衡錘５２０を結合する前に水中浮き、または重りに備えられた通孔に脚部１３０を通過させた後、ボルト形態で形成された脚部１３０の下段に上部均衡錘５２０を結合する。その様子は図６の（６ｂ）に示した通りである。
【００４５】
水中浮き及び重り６１０は沈む性質を有するので、負の浮上力を有し、負の浮上力は目盛部１１０の下部０点が水面と一致するようにして水中浮きや重り６１０を結合した浮上力測定器１００の目盛部１１０が水面の下へ下がっただけで測定するため、水中浮き及び重り６１０の浮上力は上部均衡錘５２０を結合するものである。
【００４６】
また、本発明の一実施形態により下部均衡錘５１０および重り６１０を結合した浮上力測定器１００を入水させれば、図６の（６ｃ）に示したように上部０点が水面に一致し、浮上力測定器１００の目盛部１１０と脚部１３０は水面とほぼ直角をなす。
【００４７】
浮きの浮上力を測定するためには浮上力測定器１００の脚部１３０に下部均衡錘５１０を結合する前に浮きに備えられた通孔に脚部１３０を通過させた後、ボルト形態で形成された脚部１３０の下段に下部均衡錘５１０を結合する。
【００４８】
浮きは浮かぶ性質を有するので正の浮上力を有し、正の浮上力は目盛部１１０の上部０点が水面と一致するようにして浮きを結合した浮上力測定器１００の目盛部１１０が水面上に上がっただけで測定するため、浮きの浮上力は下部均衡錘５１０を結合するものである。
【００４９】
本実施形態では、目盛部１１０に正の浮上力と負の浮上力を測定するために各々下部０点と上部０点を基準として浮上力を測定するための目盛を表示すると説明しているが、目盛部の長さを長くしたり断面積を広くしたりして目盛部１１０の中央に０点を形成することもでき、目盛部１１０の中央に０点を形成するために使われる均衡錘は１つとなる。
【００５０】
また、本実施形態では、目盛部１１０、胴体部１２０及び脚部１３０の間の結合のための手段としてボルト、ナット形態を形成することと説明しているが、目盛部１１０、胴体部１２０及び脚部１３０を結合できる手段がこれに限定されるのではない。例えば、目盛部１１０、胴体部１２０、及び脚部１３０の材質がプラスチックである場合、プラスチックボンドを利用して結合することも可能である。
【００５１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５２】
【図１】本発明の一実施形態に係る浮上力測定器の斜視図である。
【図２】本発明の一実施形態に係る浮上力測定器の目盛部の側面図である。
【図３】本発明の一実施形態に係る浮上力測定器の胴体部の断面図である。
【図４】本発明の一実施形態に係る浮上力測定器の脚部の断面図である。
【図５】本発明の一実施形態に係る均衡錘の断面図である。
【図６】本発明の一実施形態に係る均衡錘を装着した浮上力測定器が入水している側面図である。
【符号の説明】
【００５３】
１００    浮上力測定器
１１０    目盛部
１２０    胴体部
１３０    脚部
２１０    下段部
３１０    第１結合溝
３２０    第２結合溝
４１０    上段部
４２０    均衡錘結合部
５１０    下部均衡錘
５２０    上部均衡錘
６１０    重り
【図１】
2008148686.tif 000003
【図２】
2008148686.tif 000004
【図３】
2008148686.tif 000005
【図４】
2008148686.tif 000006
【図５】
2008148686.tif 000007
【図６】
2008148686.tif 000008